(57)【特許請求の範囲】
【請求項１】
外側用回転軸と直交する断面が多角形状となる外側外周面を有し、当該外側外周面が、絵柄が描画された複数の透明な面と、複数の不透明な面とで構成された外側回転体と、
前記外側回転体の外側用回転軸と同方向に設けられた内側用回転軸と直交する断面が多角形状となる内側外周面を有し、当該内側外周面が、前記外側回転体の外側外周面の内部に重なる位置に配置されると共にテーパ状の鏡面に形成されて、前記外側回転体の外側外周面の透明な面に描画された前記絵柄が映るように構成され、前記外側回転体と逆方向に回転する内側回転体と、
前記内側回転体の内側用回転軸と同方向に光を照射し、当該光が、前記内側回転体におけるテーパ状の鏡面に形成された前記内側外周面で前記外側回転体の外側外周面側に反射されるように構成された光源と、
を有する可動演出装置を備えたことを特徴とする遊技機。
【発明の詳細な説明】
【技術分野】
【０００１】
本発明は遊技機に関し、特に、可動演出装置を有する遊技機に関するものである。
【背景技術】
【０００２】
従来、パチンコ遊技機等の遊技機においては、遊技盤の表面側に形成された遊技領域に可動演出用の装飾体を備えているものがある。また、そのような装飾体の中には、回転可動するように構成され、回転させて遊技演出を行うものもある（例えば、特許文献１〜３参照）。
【先行技術文献】
【特許文献】
【０００３】
【特許文献１】特開２０１１−０５０６５９号公報
【特許文献２】特開２０１１−０３０８４５号公報
【特許文献３】特開２０１０−２５３１９０号公報
【発明の概要】
【発明が解決しようとする課題】
【０００４】
しかしながら、遊技者は、前記した特許文献１〜３に示すような遊技機よりも、さらに存在感のある動作が行われて、遊技の興趣を向上させる可動演出装置を求めている、という現状があった。
【０００５】
本発明は、このような事情に鑑みてなされたものであり、回転動作によるめまぐるしい動きを演出する可動演出装置を備えることで、より遊技者の興味を引くことができ、遊技に対する興趣をさらに向上させることができる遊技機を提供することを目的とする。
【課題を解決するための手段】
【０００６】
かかる課題を解決するために、本発明の請求項１に記載の発明は、外側用回転軸と直交する断面が多角形状となる外側外周面を有し、当該外側外周面が、絵柄が描画された複数の透明な面と、複数の不透明な面とで構成された外側回転体と、前記外側回転体の外側用回転軸と同方向に設けられた内側用回転軸と直交する断面が多角形状となる内側外周面を有し、当該内側外周面が、前記外側回転体の外側外周面の内部に重なる位置に配置されると共にテーパ状の鏡面に形成されて、前記外側回転体の外側外周面の透明な面に描画された前記絵柄が映るように構成され、前記外側回転体と逆方向に回転する内側回転体と、前記内側回転体の内側用回転軸と同方向に光を照射し、当該光が、前記内側回転体におけるテーパ状の鏡面に形成された前記内側外周面で前記外側回転体の外側外周面側に反射されるように構成された光源と、を有する可動演出装置を備えた遊技機としたことを特徴とする。
【０００７】
請求項１に係る発明によれば、回転動作によるめまぐるしい動きを演出する可動演出装置を備えることで、より遊技者の興味を引くことができ、遊技に対する興趣をさらに向上させることができる。
【図面の簡単な説明】
【０００８】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の可動演出装置の斜視図である。
【図５】同パチンコ遊技機の可動演出装置の断面図である。
【図６】同パチンコ遊技機の可動演出装置の背面図である。
【図７】同パチンコ遊技機の可動演出装置の模式図である。
【発明を実施するための形態】
【０００９】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１０】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物４１（後述）及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１１】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１２】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１３】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１４】
上述の遊技盤３０は、前枠１２の後面に装着されている。以下、この遊技盤３０及び遊技盤３０に備えられる各構成部材について図３〜図７を参照して詳細に説明する。図３は、本発明の実施の形態における遊技盤３０の正面図であり、図４は、同パチンコ遊技機の可動演出装置の斜視図であり、図５は、同パチンコ遊技機の可動演出装置の断面図であり、図６は、同パチンコ遊技機の可動演出装置の背面図であり、図７は、同パチンコ遊技機の可動演出装置の模式図である。この遊技盤３０は、上述のように前枠１２の後面に装着されており、窓枠１３の透明板１７ａに前方から覆われている。
【００１５】
遊技盤３０は、その盤面等に各構成部材を固定する板状の部材であり、木製又は樹脂製のものである。ガイドレール３２は、この遊技盤３０の前記透明板１７ａと対向する表面側の盤面に固定されて、この遊技盤３０上に、パチンコ球の発射通路３１ａと、発射されたパチンコ球が転動しながら流下する遊技領域３１ｂとを区画形成する。遊技盤３０における遊技領域３１ｂのほぼ中央部には、当該遊技盤３０に貫設された開口部３８が形成されている。この開口部３８の周縁には、センター装飾部材４０が付設されている。また、センター装飾部材４０には、開口部３８の下部を覆うように、ステージ５０が形成されている。
【００１６】
また、遊技領域３１ｂにおいては、遊技盤３０に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００１７】
また、遊技領域３１ｂにおける遊技盤３０の盤面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００１８】
また、遊技盤３０に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００１９】
また、遊技領域３１ｂ内において、演出表示装置３７の下方には、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２０】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２１】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ５０に誘導されるようになっている。
【００２２】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２３】
また、演出表示装置３７の右下部前方には、可動演出装置１００が配置されている。この可動演出装置１００は、演出表示装置３７とステージ５０の間に設けられる収容空間に収容されている。以下、本実施の形態における可動演出装置１００について、図４〜図７を参照して詳細に説明する。なお、図４〜図６には、便宜上、後述する光源４００が記載されていない。本実施の形態における可動演出装置１００は、第１回転体機構１１０と第２回転体機構１２０の２つの回転体機構が並設されており、当該第１回転体機構１１０と第２回転体機構１２０が同じ中心軸で回転駆動するように構成されている。
【００２４】
まず、第１回転体機構１１０について説明する。この第１回転体機構１１０は、第１外側回転体２００，第１内側回転体３００及び光源４００を備えている。
【００２５】
第１外側回転体２００は、第１外側用回転軸２１０に固定されて回転する回転体であり、当該第１外側用回転軸２１０と直交する方向の断面が多角形状となるように第１外側外周面２２０が形成されている。なお、第１外側外周面２２０で構成される多角形としては、種々の条件に応じた適宜の多角形で良く、正多角形でも正多角形以外の多角形であっても良い。本実施の形態の第１外側回転体２００は、第１外側外周面２２０で正九角形を構成するようになっている。
【００２６】
また、この断面視多角形状の第１外側外周面２２０のそれぞれの面は、透明な部材で構成された第１透明面２２１と、不透明な部材で構成された第１不透明面２２２を、それそれ複数有する構成となっている。このうち、第１透明面２２１には、第１絵柄２２３が描画されており、本実施の形態では、第１絵柄２２３として、「一萬」，「二萬」等の麻雀牌の絵柄が描画されている。なお、第１透明面２２１と第１不透明面２２２は、１対１で交互に配置されるようになっていても良いし、一方がいくつか続けて配置されるようになっていても良い。
【００２７】
第１内側回転体３００は、第１内側用回転軸３１０に固定されて回転する回転体である。また、第１内側用回転軸３１０は、第１外側回転体２００の第１外側用回転軸２１０と同方向に延びるように設けられており、本実施の形態では、第１外側回転体２００の中心軸，第１外側用回転軸２１０の中心，第１内側回転体３００の中心軸，第１内側用回転軸３１０の中心が同じとなるように構成されている。また、第１内側回転体３００においては、第１内側用回転軸３１０と直交する方向の断面が多角形状となるように第１内側外周面３２０が形成されている。なお、第１内側外周面３２０で構成される多角形としては、種々の条件に応じた適宜の多角形で良いが、後述する第１絵柄２２３の映り込みの効果をより明確に引き出すため、正多角形以外の多角形が好ましい。本実施の形態の第１内側回転体３００は、第１内側外周面３２０で正九角形でない九角形を構成するようになっている。
【００２８】
また、第１内側外周面３２０が、第１外側回転体２００の第１外側外周面２２０の内部に重なる位置に配置されており、当該第１内側外周面３２０は、光源４００側に傾いたテーパ状の第１鏡面３２１を複数（ここでは、９面）有する構成となっている。このように、第１内側外周面３２０が第１外側外周面２２０の内部に重なり、かつ、複数の第１鏡面３２１を有する構成となっていることで、第１外側外周面２２０の透明な第１透明面２２１に描画された第１絵柄２２３が、第１鏡面３２１に映り込むようになっており、この映り込んだ絵柄を、第１透明面２２１を介して外部からみることができるようになっている。また、第１外側外周面２２０が正九角形に形成され、第１内側外周面３２０が正九角形でない九角形に形成されており、重なっている状態で双方の位置や角度がずれるため、第１外側外周面２２０の第１絵柄２２３が第１内側外周面３２０の第１鏡面３２１に映り込んだときに、双方の絵柄が外部から見て完全に重ならずに微妙にずれることになり、絵柄が実際よりも多く存在しているように見えるようになっている。
【００２９】
光源４００は、第１外側回転体２００及び第１内側回転体３００の外側（本実施の形態では、図５及び図７の右側）に配置されており、複数のＬＥＤ４１０が配置されたＬＥＤ基板となっている。本実施の形態の光源４００は、略円形にＬＥＤ４１０が配置されたものとなっている。また、光源４００は、第１内側回転体３００の第１内側用回転軸３１０と同方向に光を照射するようになっており、図７の矢印で示すように、当該光が、第１内側回転体３００における第１内側外周面３２０のテーパ状の第１鏡面３２１で反射して、第１外側回転体２００の第１外側外周面２２０側に向かうように構成されている。これにより、光源４００の光が、第１外側外周面２２０の第１透明面２２１から放射されるようになっている。
【００３０】
また、第１外側回転体２００と第１内側回転体３００は、後述するギア構造によって、それぞれ逆方向に回転するようになっている。すなわち、例えば第１外側回転体２００が時計回りに回転するとき、同時に第１内側回転体３００が半時計回りに回転するように構成されている。これにより、第１外側外周面２２０の第１透明面２２１に描画された第１絵柄３２１と、第１内側外周面３２０の第１鏡面３２１にずれて映り込んだ絵柄が、めまぐるしく動き、より多くの図柄が変動しているように見えるものである。
【００３１】
次に、第２回転体機構１２０について説明する。この第２回転体機構１２０は、第２外側回転体５００，第２内側回転体６００及び光源４００を備えている。なお、第２外側回転体５００は第１外側回転体２００とほぼ同様の構成を有しており、第２内側回転体６００は第１内側回転体３００とほぼ同様の構成を有している。また、光源４００は、第１回転体機構１１０と同じものを共用するように構成されている。
【００３２】
第２外側回転体５００は、第２外側用回転軸５１０に固定されて回転する回転体であり、当該第２外側用回転軸５１０と直交する方向の断面が多角形状となるように第２外側外周面５２０が形成されている。なお、第２外側外周面５２０で構成される多角形としては、種々の条件に応じた適宜の多角形で良く、正多角形でも正多角形以外の多角形であっても良い。本実施の形態の第２外側回転体５００は、第２外側外周面５２０で正九角形を構成するようになっている。
【００３３】
また、この断面視多角形状の第２外側外周面５２０のそれぞれの面は、透明な部材で構成された第２透明面５２１と、不透明な部材で構成された第２不透明面５２２を、それそれ複数有する構成となっている。このうち、第２透明面５２１には、第２絵柄５２３が描画されており、本実施の形態では、第２絵柄５２３として、「一萬」，「二萬」等の麻雀牌の絵柄が描画されている。なお、第２透明面５２１と第２不透明面５２２は、１対１で交互に配置されるようになっていても良いし、一方がいくつか続けて配置されるようになっていても良い。
【００３４】
第２内側回転体６００は、第２内側用回転軸６１０に固定されて回転する回転体である。また、第２内側用回転軸６１０は、第２外側回転体５００の第２外側用回転軸５１０と同方向に延びるように設けられており、本実施の形態では、第２外側回転体５００の中心軸，第２外側用回転軸５１０の中心，第２内側回転体６００の中心軸，第２内側用回転軸６１０の中心が同じとなるように構成されている。また、第２内側回転体６００においては、第２内側用回転軸６１０と直交する方向の断面が多角形状となるように第２内側外周面６２０が形成されている。なお、第２内側外周面６２０で構成される多角形としては、種々の条件に応じた適宜の多角形で良いが、第２絵柄５２３の映り込みの効果をより明確に引き出すため、正多角形以外の多角形が好ましい。本実施の形態の第２内側回転体６００は、第２内側外周面６２０で正九角形でない九角形を構成するようになっている。
【００３５】
また、第２内側外周面６２０が、第２外側回転体５００の第２外側外周面５２０の内部に重なる位置に配置されており、当該第２内側外周面６２０は、光源４００側に傾いたテーパ状の第２鏡面６２１を複数（ここでは、９面）有する構成となっている。このように、第２内側外周面６２０が第２外側外周面５２０の内部に重なり、かつ、複数の第２鏡面６２１を有する構成となっていることで、第２外側外周面５２０の透明な第２透明面５２１に描画された第２絵柄５２３が、第２鏡面６２１に映り込むようになっており、この映り込んだ絵柄を、第２透明面５２１を介して外部からみることができるようになっている。また、第２外側外周面５２０が正九角形に形成され、第２内側外周面６２０が正九角形でない九角形に形成されており、重なっている状態で双方の位置や角度がずれるため、第２外側外周面５２０の第２絵柄５２３が第２内側外周面６２０の第２鏡面６２１に映り込んだときに、双方の絵柄が外部から見て完全に重ならずに微妙にずれることになり、絵柄が実際よりも多く存在しているように見えるようになっている。
【００３６】
さらに、光源４００を第１回転体機構１１０と共用しているため、第２内側外周面６２０の径は、第１内側外周面３２０の径より大きく形成されており、テーパ形状に傾いた第２鏡面６２１が、光源４００からの光が第１鏡面３２１によって遮られない位置に配置されて、光源４００の光が第２鏡面６２１にも届くようになっている。特に、本実施の形態では、第１鏡面３２１と第２鏡面６２１とが、ほぼ面一の略連続した傾斜となるように形成されている。
【００３７】
光源４００は、第２外側回転体５００及び第２内側回転体６００の外側（本実施の形態では、図５及び図７の第１外側回転体２００の右側）に配置されており、複数のＬＥＤ４１０が配置されたＬＥＤ基板となっている。本実施の形態の光源４００は、略円形にＬＥＤ４１０が配置されたものとなっている。また、光源４００は、第１内側回転体３００の第１内側用回転軸３１０と同方向かつ第２内側回転体６００の第２内側用回転軸６１０と同方向に光を照射するようになっており、図７の矢印で示すように、当該光が、第２内側回転体６００における第２内側外周面６２０のテーパ状の第２鏡面６２１で反射して、第２外側回転体５００の第２外側外周面５２０側に向かうように構成されている。これにより、光源４００の光が、第１外側外周面２２０の第１透明面２２１から放射されると共に、第２外側外周面５２０の第２透明面５２１からも放射されるようになっている。
【００３８】
また、第２外側回転体５００と第２内側回転体６００は、後述するギア構造によって、それぞれ逆方向に回転するようになっている。すなわち、例えば第２外側回転体５００が時計回りに回転するとき、同時に第２内側回転体６００が半時計回りに回転するように構成されている。これにより、第２外側外周面５２０の第２透明面５２１に描画された第２絵柄６２１と、第２内側外周面６２０の第２鏡面６２１にずれて映り込んだ絵柄が、めまぐるしく動き、より多くの図柄が変動しているように見えるものである。
【００３９】
また、第１外側回転体２００と第２外側回転体５００、第１内側回転体３００と第２内側回転体６００は、それぞれ逆方向に回転するようになっている。すなわち、例えば第１外側回転体２００が時計回りに回転するとき、第２外側回転体５００と第１内側回転体３００は反時計回りに回転し、第２内側回転体６００は時計回りに回転するようになっている。
【００４０】
次に、前記した第１外側回転体２００，第１内側回転体３００，第２外側回転体５００，第２内側回転体６００のそれぞれに繋がれているギア構造とその動きについて説明する。
【００４１】
図４〜図６に示すように、本実施の形態の可動演出装置１００には、図示しない駆動モータからの駆動力を伝達するギアとして、第１リングギア１０１，第２リングギア１０２，第３リングギア１０３，第４リングギア１０４，第５リングギア１０５，第６デフギア１０６，第７デフギア１０７，第８デフギア１０８，第９リングギア１０９等を有している。まず、駆動モータからの駆動力が時計回りの回転であるとき、第１リングギア１０１に伝えられ、これと歯合する第２リングギア１０２に固定された第２内側用回転軸３１０を介して、当該第２内側用回転軸３１０に固定された第２内側回転体６００が反時計回りに回転する。また、第１リングギア１０１と同軸の第３リングギア１０３と歯合する第４リングギア１０４と一体に固定された第１外側用回転軸２１０，第５リングギア１０５及び第１外側回転体２００が反時計回りに回転する。また、第５リングギア１０５と歯合する第６デフギア１０６、当該第６デフギア１０６と歯合する第７デフギア１０７、当該第７デフギア１０７と歯合する第８デフギア１０８、当該第８デフギア１０８と歯合する第９リングギア１０９を介して、当該第９リングギア１０９に固定された第１内側用回転軸３１０及び第２外側用回転軸５１０（双方は一体に固定されている）が時計回りに回転し、当該第１内側用回転軸３１０及び第２外側用回転軸５１０に固定された第１内側回転体３００及び第２外側回転体５００が時計回りに回転する。このようにして、第１外側回転体２００，第１内側回転体３００，第２外側回転体５００，第２内側回転体６００のそれぞれを、１つの駆動モータで異なる方向に回転させるものである。なお、図５においては、固定された部材同士に同じハッチングを付している。すなわち、第２リングギア１０２と第２内側用回転軸３１０と第２内側回転体６００に同じハッチングを付し、第４リングギア１０４と第１外側用回転軸２１０と第５リングギア１０５と第１外側回転体２００に同じハッチングを付し、第９リングギア１０９と第１内側用回転軸３１０と第２外側用回転軸５１０と第１内側回転体３００と第２外側回転体５００に同じハッチングを付している。
【００４２】
以上のように、本実施の形態のパチンコ遊技機（遊技機）１０は、第１外側用回転軸２１０，第２外側用回転軸５１０と直交する断面が多角形状となる第１外側外周面２２０，第２外側外周面５２０を有し、当該第１外側外周面２２０，第２外側外周面５２０が、第１絵柄２２３，第２絵柄５２３が描画された複数の透明な第１透明面２２１，第２透明面５２１と、複数の不透明な第１不透明面２２２，第２不透明面５２２とで構成された第１外側回転体２００，第２外側回転体５００と、前記第１外側回転体２００，第２外側回転体５００の第１外側用回転軸２１０，第２外側用回転軸５１０と同方向に設けられた第１内側用回転軸３１０，第２内側用回転軸６１０と直交する断面が多角形状となる第１内側外周面３２０，第２内側外周面６２０を有し、当該第１内側外周面３２０，第２内側外周面６２０が、前記第１外側回転体２００，第２外側回転体５００の第１外側外周面２２０，第２外側外周面５２０の内部に重なる位置に配置されると共にテーパ状の第１鏡面３２１，第２鏡面６２１に形成されて、前記第１外側回転体２００，第２外側回転体５００の第１外側外周面２２０，第２外側外周面５２０の透明な第１透明面２２１，第２透明面５２１に描画された前記第１絵柄２２３，第２絵柄５２３が映るように構成され、前記第１外側回転体２００，第２外側回転体５００と逆方向に回転する第１内側回転体３００，第２内側回転体６００と、前記第１内側回転体３００，第２内側回転体６００の第１内側用回転軸３１０，第２内側用回転軸６１０と同方向に光を照射し、当該光が、前記第１内側回転体３００，第２内側回転体６００におけるテーパ状の第１鏡面３２１，第２鏡面６２１に形成された前記第１内側外周面３２０，第２内側外周面６２０で前記第１外側回転体２００，第２外側回転体５００の第１外側外周面２２０，第２外側外周面５２０側に反射されるように構成された光源４００と、を有する可動演出装置１００を備えたパチンコ遊技機（遊技機）１０としたことを特徴とする。
【００４３】
そして、本実施の形態のパチンコ遊技機（遊技機）１０によれば、回転動作によるめまぐるしい動きを演出する可動演出装置１００を備えることで、より遊技者の興味を引くことができ、遊技に対する興趣をさらに向上させることができる。
【００４４】
なお、以上説明した実施の形態は、本発明の理解を容易にするために記載されたものであって、本発明を限定するために記載されたものではない。
【００４５】
例えば、前記した実施の形態では、遊技機としてパチンコ遊技機を挙げて説明したが、本発明はこれに限るものではなく、パチスロ遊技機やアレンジボール等の他の遊技機にも適用可能である。
【００４６】
また、前記した実施の形態では、可動演出装置１００に２つの回転体機構１１０，１２０を有する構成となっていたが、本発明はこれに限るものではなく、回転体機構は１つ又は３つ以上であっても良い。また、回転体機構が３つ以上の際には、同じ回転体機構の外側回転体と内側回転体が逆方向に回転し、隣り合う回転体機構の外側回転体同士、隣り合う内側回転体同士がそれぞれ逆方向に回転するように構成されているのが好ましい。
【符号の説明】
【００４７】
１０…パチンコ遊技機（遊技機）、１００…可動演出装置、１１０…第１回転体機構、１２０…第２回転体機構、２００…第１外側回転体（外側回転体）、２１０…第１外側用回転軸（外側用回転軸）、２２０…第１外側外周面（外側外周面）、２２１…第１透明面（透明な面）、２２２…第１不透明面（不透明な面）、２２３…第１絵柄（絵柄）、３００…第１内側回転体（内側回転体）、３１０…第１内側用回転軸（内側用回転軸）、３２０…第１内側外周面（内側外周面）、３２１…第１鏡面（鏡面）、４００…光源、５００…第２外側回転体（外側回転体）、５１０…第２外側用回転軸（外側用回転軸）、５２０…第２外側外周面（外側外周面）、５２１…第２透明面（透明な面）、５２２…第２不透明面（不透明な面）、５２３…第２絵柄（絵柄）、６００…第２内側回転体（内側回転体）、６１０…第２内側用回転軸（内側用回転軸）、６２０…第２内側外周面（内側外周面）、６２１…第２鏡面（鏡面）
【図１】
0005617816.tif 000002
【図２】
0005617816.tif 000003
【図３】
0005617816.tif 000004
【図６】
0005617816.tif 000005
【図７】
0005617816.tif 000006
【図４】
0005617816.tif 000007
【図５】
0005617816.tif 000008